(57)【要約】      （修正有）【課題】薄型で、容易かつスムーズにベルトの長さ調節を行うことができ、調節後は確実にベルトの長さを維持できる調節具を提供する。【解決手段】軸部２２を挟んで２つの挿通孔が形成された本体２０と、２つの挿通孔のうちの前側の第１挿通孔を開閉するように軸部に回動可能に取り付けられる押さえ部材３０と、押さえ部材の回動を規制する規制部とを備え、押さえ部材は、規制部によって、第１挿通孔が開いた第１の状態と、前側の先端面３１ａが本体との間で所定間隔をもって閉じた第２の状態とに規制される。【選択図】図１
0003211317.tif 000002
【実用新案登録請求の範囲】
【請求項１】
軸部を挟んで２つの挿通孔が形成された本体と、
前記２つの挿通孔のうちの前側の第１挿通孔を開閉するように前記軸部に回動可能に取り付けられる押さえ部材と、
前記押さえ部材の回動を規制する規制部とを備え、
前記押さえ部材は、前記規制部によって、前記第１挿通孔が開いた第１の状態と、前側の先端面が前記本体との間で所定間隔をもって閉じた第２の状態とに規制されることを特徴とする調節具。
【請求項２】
前記押さえ部材の前記先端面は、前後方向に変化する波形の形状を有する請求項１に記載の調節具。
【請求項３】
前記軸部にはベルトの一端が結合され、
前記ベルトの他端は、前記２つの挿通孔のうちの後側の第２挿通孔を下から上へ挿通され、さらに、前記押さえ部材の上方から前記第１挿通孔へ通され、
前記第１の状態で前記第１挿通孔を通された前記ベルトの他端をさらに引くことによって、前記第１挿通孔を閉じるように前記押さえ部材が回動されて前記第２の状態となり、
前記第２の状態において、前記押さえ部材の先端面と前記本体によって前記ベルトが挟持される請求項１又は請求項２に記載の調節具。
【考案の詳細な説明】
【技術分野】
【０００１】
本考案は、リュックサックのベルトなどの長さの調節に用いる調節具に関する。
【背景技術】
【０００２】
特許文献１に記載のベルト調節具は、仕切部を挟んで２つの挿通孔を形成した調節具本体の仕切部にベルトの一端を結合するとともに、ベルトの他端を折り返し、ベルトの一端側の上方に重ねて、仕切部の上方を通過させて、２つの挿通孔の一方より他方に挿通させることでベルトループを形成し、ベルトの引き出し量を可変させて、ベルトループの大きさを調節するようにしたベルト調節具であり、仕切部に結合されたベルトの一端側と、仕切部の上方を通過させたベルトの他端側との間に、回動可能なローラを介在させた構成を備える。これにより、容易かつスムーズにベルトの長さ調節を行うことができるとしている。
【先行技術文献】
【特許文献】
【０００３】
【特許文献１】特開２００９−１７１９８９号公報
【考案の概要】
【考案が解決しようとする課題】
【０００４】
しかしながら、特許文献１に記載のベルト調節具では、長さ調節などの際にローラが衣服等を巻き込むことを防止するためにカバー体を設けているため、全体として大型化してしまうという問題がある。
【０００５】
そこで本考案は、薄型の構成であって、容易かつスムーズにベルトの長さ調節を行うことができ、調節後は確実にベルトの長さを維持できる調節具を提供することを目的とする。
【課題を解決するための手段】
【０００６】
上記課題を解決するために、本考案の調節具は、軸部を挟んで２つの挿通孔が形成された本体と、２つの挿通孔のうちの前側の第１挿通孔を開閉するように軸部に回動可能に取り付けられる押さえ部材と、押さえ部材の回動を規制する規制部とを備え、押さえ部材は、規制部によって、第１挿通孔が開いた第１の状態と、前側の先端面が本体との間で所定間隔をもって閉じた第２の状態とに規制されることを特徴としている。
【０００７】
本考案の調節具において、押さえ部材の先端面は、前後方向に変化する波形の形状を有することが好ましい。
【０００８】
本考案の調節具において、軸部にはベルトの一端が結合され、ベルトの他端は、２つの挿通孔のうちの後側の第２挿通孔を下から上へ挿通され、さらに、押さえ部材の上方から第１挿通孔へ通され、第１の状態で第１挿通孔を通されたベルトの他端をさらに引くことによって、第１挿通孔を閉じるように押さえ部材が回動されて第２の状態となり、第２の状態において、押さえ部材の先端面と本体によってベルトが挟持されることが好ましい。
【考案の効果】
【０００９】
本考案によると、薄型の構成において、容易かつスムーズにベルトの長さ調節を行うことができ、調節後は確実にベルトの長さを維持することができる。
【図面の簡単な説明】
【００１０】
【図１】本考案の実施形態に係る調節具を上側から見た斜視図である。
【図２】本考案の実施形態に係る調節具を下側から見た斜視図である。
【図３】本考案の実施形態に係る調節具にベルトが通され、かつ、ベルトが締められた状態を示す斜視図である。
【図４】（ａ）は実施形態における本体の構成を示す平面図、（ｂ）、（ｃ）は（ａ）のＡ−Ａ’線に沿った断面図である。
【図５】実施形態における押さえ部材を構成する板材を示す平面図である。
【図６】図４（ｂ）に対応する位置における調節具の断面図である。
【図７】第１の状態において調節具に対してベルトを通した状態を示す断面図である。
【図８】ベルトを通した調節具の押さえ部材を閉じた第２の状態を示す断面図である。
【考案を実施するための形態】
【００１１】
本考案の実施形態に係る調節具について図面を参照しつつ詳しく説明する。以下、各図には基準座標としてＸ−Ｙ−Ｚ座標が示されている。Ｚ１−Ｚ２方向は上下方向、Ｘ１−Ｘ２方向は前後方向、Ｙ１−Ｙ２方向は左右方向であり、Ｚ１側からＺ２側を見た状態を平面視ということがある。ただし、実際の使用時の調節具の姿勢はこれらの方向に限定されない。
【００１２】
図１、図２（ａ）、（ｂ）は、本実施形態に係る調節具１０の構成を示す斜視図であって、図１は上側（Ｚ１側）から見た図、図２（ａ）、（ｂ）は下側（Ｚ２側）から見た図である。図２（ａ）は押さえ部材３０の開閉の途中の状態を示し、（ｂ）は開ききった状態を示す。図３は、調節具１０にベルト４０を通し、かつ、ベルト４０が締められた状態を示す斜視図である。
【００１３】
図１と図２（ａ）、（ｂ）に示すように、調節具１０は、本体２０と、本体２０の回動軸２２に回動自在に取り付けられた押さえ部材３０とを備える。本体２０と押さえ部材３０は、例えば、アルミニウムその他の金属、ステンレス鋼その他の合金材料、又は、プラスチックで構成する。
【００１４】
図４（ａ）は本体２０の構成を示す平面図、（ｂ）、（ｃ）は（ａ）のＡ−Ａ’線に沿った断面図である。図４（ｃ）は押さえ部材３０を取り付けた状態を仮想的に示す図である。
図４（ａ）に示すように、本体２０は、平面視で長方形の外形の枠状をなしており、その枠体２１の前後方向の中央に左右方向に延びるように回動軸２２を配置することによって、前後２つの挿通孔２３ａ、２４ａが形成されている。回動軸２２は、本体２０とは別個に製造され、本体２０の枠体２１に設けた支持孔部２１ａ、２１ｂに長手方向の両端が挿入され固定される（図４（ａ））。
【００１５】
図４（ａ）に示すように、前側の第１挿通孔２３ａは、本体２０の前側枠部２３と回動軸２２によって囲まれ、平面視矩形状とされている。
後側の第２挿通孔２４ａは、本体２０の後側枠部２４と回動軸２２によって囲まれるように形成されている。この第２挿通孔２４ａは、前側（Ｘ１側）においては、第１挿通孔２３ａと同じ左右方向の幅を有する広幅部２５ａを備え、後側においては、広幅部２５ａよりも左右方向の幅が小さな狭幅部２５ｂを備える。
【００１６】
図４（ｂ）、（ｃ）に示すように、本体２０は、左右方向（Ｙ１−Ｙ２方向）に沿って見ると下側に開いたＶ字状をなしており、さらに、前側枠部２３と後側枠部２４の接続部分の下部は半円状に下方に突出した湾曲部２６とされている。
【００１７】
図５は、押さえ部材３０を構成する板材を示す平面図である。押さえ部材３０は、左右方向に延びる基部３１と、基部３１の両端から後方向（Ｘ２方向）にそれぞれ延びる腕部３２、３３と、腕部３２、３３のそれぞれから外側へ延びる舌片３２ｂ、３３ｂとを備える。腕部３２、３３には、前後方向において互いに対向する位置に、板材を厚み方向に貫通する孔部３２ａ、３３ａがそれぞれ形成されている。
【００１８】
押さえ部材３０は、基部３１の左右方向両端の境界線３４ａ、３４ｂにおいて、腕部３２、３３が基部３１に対して略直角をなし、互いに対向して延出するように折り曲げ加工が施される。また、腕部３２と舌片３２ｂの境界線３２ｃ、及び、腕部３３と舌片３３ｂの境界線３３ｃのそれぞれにおいて折り曲げ加工が施され、舌片３２ｂ、３３ｂが、Ｙ１−Ｙ２方向に沿って外側に延出する（図２（ａ）、（ｂ）参照）。
【００１９】
このように折り曲げ加工された押さえ部材３０の孔部３２ａ、３３ａには回動軸２２の長手方向の両方の端部が挿通され（図６（ａ）、（ｂ）参照）、さらに、回動軸２２の長手方向両端は枠体２１の支持孔部２１ａ、２１ｂに挿入され、接着や溶着などによって枠体２１に固定される。これによって、回動軸２２は本体２０に支持され、押さえ部材３０は、回動軸２２のまわりを回動可能な状態で本体２０に取り付けられる。
【００２０】
押さえ部材３０の基部３１の前側の先端面３１ａは、平面視において前後方向に変化する波形を有している。したがって、押さえ部材３０を本体２０に回動可能に取り付けたとき、先端面３１ａは、左右方向の各位置において、後側枠部２４との間隔が波形形状にしたがって変化する。
【００２１】
図６（ａ）、（ｂ）は、図４（ｂ）に対応する位置における調節具１０の断面図である。図６（ａ）は押さえ部材３０が開いた第１の状態を示し、図６（ｂ）は押さえ部材３０が本体２０との間で所定間隔をもって閉じた第２の状態を示している。図７は、第１の状態において調節具１０に対してベルト４０を通した状態を示す断面図、図８はベルト４０を通した調節具１０の押さえ部材３０を閉じた第２の状態を示す断面図である。図７と図８は図６（ａ）、（ｂ）にそれぞれ対応する断面図である。
【００２２】
枠体２１の湾曲部２６は、図４（ｃ）に示すように、本体２０に固定された回動軸２２に対して同心状となるような形状とされている。したがって、押さえ部材３０を回動軸２２を中心に回動させると、押さえ部材３０の舌片３２ｂ、３３ｂは、湾曲部２６の曲面に沿って移動する。押さえ部材３０の舌片３２ｂ、３３ｂの移動は、前側への移動では、前側枠部２３と湾曲部２６の境界部２６ａに舌片３２ｂ、３３ｂが当接することによって停止し（図６（ａ）、図７）、後側への移動では、後側枠部２４と湾曲部２６の境界部２６ｂに舌片３２ｂ、３３ｂが当接することによって停止する（図６（ｂ）、図８）。
【００２３】
前側枠部２３と湾曲部２６の境界部２６ａに舌片３２ｂ、３３ｂが当接したとき（図６（ａ）、図７）、押さえ部材３０の先端面３１ａは、本体２０の上側に位置し、第１挿通孔２３ａが開いた第１の状態となる。これに対して、後側枠部２４と湾曲部２６の境界部２６ｂに舌片３２ｂ、３３ｂが当接したとき（図６（ｂ）、図８）、押さえ部材３０の先端面３１ａは本体２０の下側に突出し、第１挿通孔２３ａは、押さえ部材３０によって閉じられた第２の状態となる。この第２の状態では、前後方向において、押さえ部材３０の先端面３１ａと本体２０の前側枠部２３との間には所定間隔が形成される。この所定間隔は、調節具１０に挿通されるベルトが圧縮されたときの厚みと略同一であることが好ましい。
【００２４】
図７と図８に示すように、調節具１０においては、回動軸２２に対して、調節の対象となるベルト４０の一方の端部４１（一端）が結合される。このベルト４０の他方の端部４２（他端）は、リュックサックに設けた結合具などで折り返され、調節具１０に挿通される。具体的には、図７に示す第１の状態において、後側の第２挿通孔２４ａを下から上へ挿通され、さらに、押さえ部材３０の上方から前側の第１挿通孔２３ａへ通される。このように第１挿通孔２３ａを通されたベルト４０の前記他方の端部４２をさらに引くことによって、第１挿通孔２３ａを閉じるように押さえ部材３０が回動されて第２の状態に至る（図８）。
【００２５】
第２の状態においては、押さえ部材３０の先端面３１ａと本体２０の前側枠部２３によってベルト４０が挟持され、これによってベルト４０は調節具１０に固定される。ここで、リュックサックの使用時のようにベルト４０がその長手方向に延びる方向に力がかかると、押さえ部材３０を下向きに回動させようとする力がかかるため、本体２０と押さえ部材３０とによるベルト４０の保持力が維持され、調節されたベルトの長さが確実に維持される。また、先端面３１ａが波形形状を有しているため、ベルト４０を圧縮しつつ食い込みやすいことから、ベルト４０と調節具１０との固定状態を強くすることができる。また、ベルト４０を引くことによって、ベルト４０に追随して押さえ部材３０が回動して第２の状態に至るため、容易かつスムーズにベルト４０の長さを調節し、この長さで固定することができる。
【００２６】
一方、第２の状態において押さえ部材３０を上側へ押し上げると、本体２０に対して押さえ部材３０が開いて第１の状態となるため、容易かつスムーズにベルト４０の長さ調節を行うことができる。この長さ調節は、リュックサックをおろしたときのように、ベルト４０にテンションがかかっていない場合には、ベルト４０が押さえ部材３０を回動させようとする力が減少するため容易に行うことができる。
【００２７】
以上述べた構成によれば、押さえ部材３０の開閉によってベルト４０の長さ調節と固定・解除が可能となり、ベルト４０によって押さえ部材３０の上部が覆われるため、衣服の巻き込みの防止などのためにカバーなどを設ける必要がないため、薄型でシンプルな構成とすることができる。
本考案について上記実施形態を参照しつつ説明したが、本考案は上記実施形態に限定されるものではなく、改良の目的または本考案の思想の範囲内において改良または変更が可能である。
【産業上の利用可能性】
【００２８】
以上のように、本考案に係る調節具は、薄型の構成において、容易かつスムーズにベルトの長さ調節を行うことができ、調節後は確実にベルトの長さを維持することができる。
【符号の説明】
【００２９】
１０    調節具
２０    本体
２１    枠体
２１ａ、２１ｂ  孔部
２２    回動軸
２３    前側枠部
２３ａ  第１挿通孔
２４    後側枠部
２４ａ  第２挿通孔
２６    湾曲部
２６ａ、２６ｂ  境界部
３０    押さえ部材
３１    基部
３１ａ  先端面
３２、３３  腕部
３２ａ、３３ａ  孔部
３２ｂ、３３ｂ  舌片
４０    ベルト
４１、４２  端部
【図１】
0003211317.tif 000003
【図２】
0003211317.tif 000004
【図３】
0003211317.tif 000005
【図４】
0003211317.tif 000006
【図５】
0003211317.tif 000007
【図６】
0003211317.tif 000008
【図７】
0003211317.tif 000009
【図８】
0003211317.tif 000010